(57)【要約】【課題】基板の蒸着面と反対側の面にマスク密着用のマグネットを配置して、基板とマスクの密着力を強化する蒸着装置において、マスク密着用のマグネットを基板から剥がす際に、基板の破損を防止することが可能な蒸着装置、蒸着方法、有機ＥＬ装置、および電子機器を提供することを目的とする。【解決手段】真空チャンバー１１内で基板２１の蒸着面側に磁性材料からなるマスク２２を配置し、基板２１の背面側にマグネット１８を配置して当該基板２１にマスク２２を吸着させた状態で、基板２１の蒸着面に蒸着源により膜形成を行う蒸着装置１において、マグネット１８と基板２１間に補強板１９を配置する。【選択図】        図１
2005187874.tif 000002
【特許請求の範囲】
【請求項１】
真空チャンバー内で基板の蒸着面側に磁性材料からなるマスクを配置し、前記基板の背面側にマグネットを配置して当該基板に前記マスクを吸着させた状態で、前記基板の蒸着面に蒸着源により膜形成を行う蒸着装置において、
前記マグネットと前記基板間に補強板を介在させたことを特徴とする蒸着装置。
【請求項２】
前記基板を保持し、前記蒸着源の上方に配置される基板保持部と、
前記基板保持部の上方に配置され、前記マグネットを上下方向に移動可能に保持するマグネット昇降機構と、
前記マスクを保持して前記基板の蒸着面側に密着配置するマスク保持部と、
を備え、
前記マグネット昇降機構は、前記マスクを前記基板に吸着させる場合には、前記マグネットを下方向に移動させて前記補強板に密着配置する一方、前記マスクと前記基板との吸着状態を解除する場合には、前記マグネットを上方向に移動させることを特徴とする請求項１に記載の蒸着装置。
【請求項３】
前記補強板は、前記基板上に貼着されることを特徴とする請求項１または請求項２に記載の蒸着装置。
【請求項４】
前記補強板には、前記基板と前記マスクのアライメントマークを認識するための開口穴が形成されていることを特徴とする請求項１〜請求項３のいずれか１つに記載の蒸着装置。
【請求項５】
前記補強板は、ガラス材料、プラスチック材料、常磁性金属材料、および常磁性セラミック材料のいずれか１つで形成されていることを特徴とする請求項１〜請求項４のいずれか１つに記載の蒸着装置。
【請求項６】
真空チャンバー内で基板の蒸着面側に磁性材料からなるマスクを配置し、前記基板の背面側にマグネットを配置して当該基板に前記マスクを吸着させた状態で、前記基板の蒸着面に蒸着源により膜形成を行う蒸着方法において、
前記マグネットと前記基板間に補強板を介在させたことを特徴とする蒸着方法。
【請求項７】
請求項１〜請求項５のいずれか１つに記載の蒸着装置を使用して製造されたことを特徴とする有機ＥＬ装置。
【請求項８】
請求項７に記載の有機ＥＬ装置を搭載したことを特徴とする電子機器。
【発明の詳細な説明】
【技術分野】
【０００１】
本発明は、蒸着装置、蒸着方法、有機ＥＬ装置、および電子機器に関し、詳細には、真空チャンバー内で基板の蒸着面側に磁性材料からなるマスクを配置し、基板の背面側にマグネットを配置して当該基板に前記マスクを吸着させた状態で、基板の蒸着面に蒸着源により膜形成を行う蒸着装置、蒸着方法、有機ＥＬ装置、および電子機器に関する。
【背景技術】
【０００２】
真空に排気した容器中で成膜しようとする材料を加熱・蒸発させ、基板上に凝結・固化させることにより、目的とする薄膜を形成する方法として、真空蒸着法が知られている。かかる真空蒸着法で使用される真空蒸着装置は、真空容器の内部において、加熱部（抵抗）に取付けた膜材料を加熱して蒸発させ、蒸着分子を基板の表面に蒸着させる。その際、基板の蒸着面にマスクを配置してマスク蒸着を行うことで蒸着薄膜を任意形状にパターニングすることができる。
【０００３】
次世代ディスプレイとして開発が進められている有機ＥＬ装置、特に低分子有機ＥＬ装置の製造には、上述の真空蒸着技術が使用されている。また、有機ＥＬ装置をフルカラー化するにはＲＧＢの発光素子を各発光画素上に形成する必要があるので、高精細マスクを用いたマスク蒸着が広く用いられている。この場合、基板とマスクの密着が十分でないと、（１）基板上に形成される蒸着パターンが不鮮明になる、（２）隣接する画素にも蒸着される、（３）蒸着膜の膜厚が不均一になる等の問題が生じる。基板とマスクの密着を強化する方法として、特許文献１の蒸着装置が公知である。
【０００４】
図７は、特許文献１の蒸着装置４００の構成を示す図である。図７において、４０１は容器４０３を真空状態にするための真空ポンプ、４０２は真空ポンプ４０１の排気口、４０３は容器、４０４は膜材料、４０５は加熱部、４０６は電力供給ライン、４０７は加熱部熱部４０５に電源供給ライン４０６を通じて電力を供給する電源、４０８は膜形成対象の基板、４０９はマスク、４１０は基板受け、４１１はマグネット、４１２はマスク受けを示している。かかる蒸着装置４００では、マスク４０９と基板４０８とを十分に密着させるために、基板４０８に密着配置するマスク４０９を磁性材料により形成し、このマスク４０９を吸引するマグネット４１１を基板４０８の背面側に配置している。
【０００５】
【特許文献１】特開２００１−３１５５号公報
【発明の開示】
【発明が解決しようとする課題】
【０００６】
しかしながら、上記従来技術にあっては、基板に密着したマスクを取り出す場合は、基板の一部を固定してマスクを引き剥がすことになるが、マグネットの磁場が強すぎるとマスクが基板から外れなくなる一方、マグネットの磁場に合わせて基板を固定する力を強くすると、マグネットを基板から引き剥がす際に剛性の弱い小さい基板は破損する可能性があるという問題がある。
【０００７】
本発明は、上記課題に鑑みてなされたものであり、基板の蒸着面と反対側の面にマスク密着用のマグネットを配置して、基板とマスクの密着力を強化する蒸着装置において、マスク密着用のマグネットを基板から剥がす際に、基板の破損を防止することが可能な蒸着装置、蒸着方法、有機ＥＬ装置、および電子機器を提供することを目的とする。
【課題を解決するための手段】
【０００８】
上述した課題を解決し、目的を達成するために、本発明は、真空チャンバー内で基板の蒸着面側に磁性材料からなるマスクを配置し、前記基板の背面側にマグネットを配置して当該基板に前記マスクを吸着させた状態で、前記基板の蒸着面に蒸着源により膜形成を行う真空蒸着装置において、前記マグネットと前記基板間に補強板を介在させたことを特徴とする。
【０００９】
これにより、マグネットと基板との間に補強板を介在させているので、基板の剛性を補強することができ、マグネットを引き剥がすのに強い力を作用させても基板が破損することを防止することができる。この結果、基板の背面側にマスク密着用のマグネットを配置して、基板とマスクの密着力を強化する蒸着装置において、マスク密着用のマグネットを基板から剥がす際に、基板の破損を防止することが可能な蒸着装置を提供することができる。
【００１０】
また、本発明の好ましい態様によれば、前記基板を保持し、前記蒸着源の上方に配置される基板保持部と、前記基板保持部の上方に配置され、前記マグネットを上下方向に移動可能に保持するマグネット昇降機構と、前記マスクを保持して前記基板の蒸着面側に密着配置するマスク保持部と、を備え、前記マグネット昇降機構は、前記マスクを前記基板に吸着させる場合には、前記マグネットを下方向に移動させて前記補強板に密着配置する一方、前記マスクと前記基板との吸着状態を解除する場合には、前記マグネットを上方向に移動させることが望ましい。
【００１１】
これにより、マスクと基板との吸着状態を解除する場合に、マグネット昇降機構によりマグネットに上方向に強い力を作用させ、基板を基板保持部で強い力で保持しても、補強板で基板の剛性を強化することができ、基板の破損を防止することが可能となり、マスクの基板に対する吸着およびその解除を簡単な機構で行うことが可能となる。
【００１２】
また、本発明の好ましい態様によれば、前記補強板は、前記基板上に貼着されることが望ましい。これにより、補強板を、基板上に貼着しているので、基板の撓みを防止することができる。
【００１３】
また、本発明の好ましい態様によれば、前記補強板には、前記基板と前記マスクのアライメントマークを認識するための開口穴が形成されていることが望ましい。これにより、基板とマスクのアライメントマークを補強板の開口穴からカメラ等で認識することができ、基板とマスクのアライメント調整を容易に行うことが可能となる。
【００１４】
また、本発明の好ましい態様によれば、前記補強板は、ガラス材料、プラスチック材料、常磁性金属材料、および常磁性セラミック材料のいずれか１つで形成されていることが望ましい。これにより、安価な材料で基板の剛性を補強することが可能となる。
【００１５】
上述した課題を解決し、目的を達成するために、本発明は、真空チャンバー内で基板の蒸着面側に磁性材料からなるマスクを配置し、前記基板の背面側にマグネットを配置して当該基板に前記マスクを吸着させた状態で、前記基板の蒸着面に蒸着源により膜形成を行う蒸着方法において、前記マグネットと前記基板間に補強板を介在させたことを特徴とする。
【００１６】
これにより、マグネットと基板との間に補強板を介在させているので、基板の剛性を補強することができ、マグネットを引き剥がすのに強い力を作用させても基板が破損することを防止することができる。この結果、基板の背面側にマスク密着用のマグネットを配置して、基板とマスクの密着力を強化する蒸着方法において、マスク密着用のマグネットを基板から剥がす際に、基板の破損を防止することが可能な蒸着方法を提供することができる。
【００１７】
また、本発明の好ましい態様によれば、有機ＥＬ装置を本発明の蒸着装置を使用して製造することが望ましい。これにより、有機ＥＬ装置の発光層等を本発明の蒸着装置で形成する場合に、マスク密着用のマグネットを基板から剥がす際に、基板の破損を防止することができる。
【００１８】
また、本発明の好ましい態様によれば、電子機器に本発明の有機ＥＬ装置を搭載することが望ましい。これにより、電子機器に搭載される有機ＥＬ装置の発光層等を本発明の蒸着装置で形成する場合に、マスク着用のマグネットを基板から剥がす際に、基板の破損を防止することができる。
【発明を実施するための最良の形態】
【００１９】
以下に、この発明につき図面を参照しつつ詳細に説明する。なお、この実施例によりこの発明が限定されるものではない。また、下記実施例における構成要素には、当業者が容易に想定できるものまたは実質的に同一のものが含まれる。
【実施例１】
【００２０】
図１は、本発明にかかる蒸着装置１の概略構成を示す模式的な断面図である。同図において、１１は真空チャンバー、１２は真空チャンバー１１内を真空排気する真空ポンプ、１３は真空ポンプ１２の排気口、１４は加熱部に載置される膜材料、１５は膜材料１４を加熱する加熱抵抗を有する加熱部（蒸着源）、１６は加熱部１５に電力を供給する電源、１７はマグネット１８を下方に保持して当該マグネット１８を上下方向に移動させるマグネット昇降機構、１８はマグネット昇降機構１７に保持され、基板２１とマスク２２の密着力を強化するためのマグネット、１９は基板２１とマグネット１８間に配される補強板、２０は基板２１を保持し、基板２１を上下・左右・回転方向に移動させる基板保持部、２１は膜材料１４が蒸着される基板、２２はスリットが形成されているマスク、２３は真空チャンバー１１の内周面に取り付けられ、マスク２２を保持するマスク保持部を示している。
【００２１】
真空チャンバー１１内の下部には、膜材料１４を載置して加熱により蒸発させる加熱部１５が設けられている。この加熱部１５には電力供給ライン１６ａを通じて電力を供給する電源１６が、真空チャンバー１１の外部に設けられている。ここで、膜材料１４としては、例えば、金属材料や有機材料を使用することができる。真空チャンバー１１内における加熱部１５の上方には、膜形成対象の基板２１が設置されており、加熱部１５と基板２１との間にマスク２２が設置されている。
【００２２】
マスク２２は、磁性金属材料で形成されており、真空チャンバー１１の内周面に取り付けられたマスク保持部２３に保持されている。基板２１は、例えば、ガラス材料からなり、基板保持部２０に保持されている。この基板２１の背面側（蒸着面と反対側）には、補強板１９が載置または貼着されている。基板２１の撓みを防止するためには、補強板１９を基板２１の背面側に貼着するのが望ましい。補強板１９としては、マスク２２に作用するマグネット１８の吸着力（磁場）を阻害せず、かつ、剛性／放熱性が高い材料が望ましく、例えば、透明なガラス・プラスチック、Ａｌ2Ｏ3焼結体／ＷＣ／ＳｉＣ／ＳｉＮ／窒化アルミ／ジルコニア等の常磁性セラミック材料、Ａｌ／Ｃｕ等の常磁性金属材料を使用することができる。さらに、補強板１９の上方には、マグネット昇降機構１７に保持されたマグネット１８が配置されている。マグネット１８としては、例えば、ＯＸ３００，アルミニウム−ニッケル−コバルト合金（ＡｌＮｉＣｏ），およびサマリウム−コバルト合金（ＳｍＣｏ）等を使用することができる。
【００２３】
上記構成の蒸着装置による蒸着方法を説明する。図２は、基板２１とマスク２３の密着状態を示す図である。図１において、まず、真空ポンプ１２の駆動によって真空チャンバー１１の内部を高真空状態とする。つぎに、補強板１９を載置または貼着した基板２１を基板保持部２０により下降させて、基板２１とマスク２２と密着させる。また、必要であれば基板２１とマスク２２のアライメント動作を行う。その後、マグネット昇降機構１７によりマグネット１８を下降させて、補強板１９と密着させる。これにより、マスク２２には、マグネット１８の磁場によって上方に吸引する力が作用し、その全面に亘って基板２１に吸着して十分に密着する（図２参照）。また、基板２１として、大型基板やプラスチック基板を使用した場合には、通常、その撓みが問題となるが、基板２１に補強板１９を貼着させて密着させた場合には、基板２１の撓みを低減することができる。
【００２４】
この後、電源１６からの電力により加熱部１５を発熱させる。これにより、膜材料１４が加熱され、膜材料１４固有の蒸発温度に達した時点で蒸発分子１４ａとなって上方へ飛び出す。飛び出した蒸発分子１４ａはマスク２２のスリットを通過して基板２１の表面に付着し、次第に堆積する。この場合、上述したように、マスク２２が全面に亘って基板２２に十分に密着しているため、マスク２２のスリットを通過した蒸発分子１４ａが拡散することはなく、スリット幅と同一幅の蒸着膜が形成される。
【００２５】
つぎに、基板２１とマスク２２の吸着状態を解除する方法を説明する。図３は、基板２１とマスク２２の吸着状態を解除する場合に、基板２１に作用する力を説明するための模式図である。図１において、基板２１の蒸着が終了した場合には、電源１６の加熱部１５に対する電力の供給を停止して、加熱部１５の発熱を停止させる。そして、マグネット昇降機構１７によりマグネット１８を上昇させて、基板２１とマスク２２の吸着状態が解除される。この場合、マグネット１８には上向きの力が作用し、基板２１には下向きの力が作用するが（図３参照）、マグネット１８と基板２１との間に、補強板１９を介在させているので、基板２１の剛性を補強することができ、マグネット昇降機構１７によりマグネット１８を引き剥がすのに強い力を作用させても基板２１が破損することはない。この後、基板保持部２０により基板２１および補強板１９を上昇させて、マスク２２との密着状態を解除する。
【００２６】
以上説明したように、実施例１によれば、マグネット１８と基板２１との間に、補強板１９を介在させているので、基板２１の剛性を補強することができ、マグネット１８を引き剥がすのに強い力を作用させても基板２１が破損するのを防止することができる。また、マグネット１８として、強磁場を発生させる永久磁石を使用しても基板２１のハンドリングを無理なく行うことができる。
【００２７】
また、実施例１によれば、マグネット昇降機構１７は、マスク２２を基板２１に吸着させる場合には、マグネット１８を下方向に移動させて補強板１９に密着させ、マスク２２と基板２１の吸着状態を解除する場合には、マグネット１８を上方向に移動させることとしたので、マスク２２の基板２１に対する吸着およびその解除を簡単な機構で行うことが可能となる。
【００２８】
また、実施例１によれば、補強板１９を基板２１上に貼着しているので、基板２１の撓みを低減することが可能となる。また、実施例１によれば、補強板１９を、ガラス材料、プラスチック材料、常磁性金属材料、および常磁性セラミック材料のいずれかで形成しているので、安価な材料で基板の剛性を補強することが可能となる。
【００２９】
なお、実施例１の蒸着装置１では、抵抗加熱法を使用しているが、本発明はこれに限られるものではなく、電子衝撃法や高周波誘導加熱法等を使用することにしても良い。
【実施例２】
【００３０】
図４は、実施例２に係る蒸着装置１の補強板１９を説明するための図であり、実施例２に係る補強板１９の平面図を示している。実施例２では、図４に示すように、補強板１９は、基板２１とマスク２２のアライメントマークを蒸着装置１の上方に配置されている不図示のカメラで認識可能とするために、アライメントマーク認識用の開口穴１９ａを形成した構造である。なお、基板２１とマスク２２には、図４に示す開口穴１９ａに対応する位置にアライメントマークが形成されているものとする。このアライメントマーク認識用の開口穴１９ａは、補強板１９として透明な材料を使用した場合には必ずしも必要とされるものではないが、不透明な材料を使用した場合に特に有用である。
【００３１】
このように、実施例２によれば、補強板１９に、基板２１とマスク２２のアライメント調整用の開口穴１９ａを形成しているので、基板２１とマスク２２のアライメント調整を容易に行うことが可能となる。
【００３２】
（有機ＥＬ装置の製造工程）
本発明の実施例に係る有機ＥＬ装置の製造方法を図５を参照して説明する。図５は、３色のフルカラー有機ＥＬ装置の製造工程を示したものである。図５に示す有機ＥＬ装置の製造工程は、（１）画素電極形成工程と、（２）隔壁形成工程と、（３）正孔注入／輸送層形成工程と、（４）発光層形成工程と、（５）陰極形成工程等から構成される。以下の有機ＥＬ装置の製造工程では、少なくとも発光層形成工程（４）で本発明の蒸着装置１を使用して膜形成を行う。
【００３３】
［画素電極形成工程］
透明基板１０１は、必要に応じてＴＦＴやＴＦＤのスイッチング素子が形成されている。この透明基板１０１は、支持体であると同時に光を取り出す面として機能する。従って、透明基板１０１は、光の透過特性や熱的安定性を考慮して選択される。透明基板材料としては、例えばガラス基板、透明プラスチック等が挙げられる。
【００３４】
まず、透明基板１０１上に、画素電極１０２、１０３，１０４を形成する。画素電極の形成方法としては、フォトリソグラフィー、真空蒸着、スパッタリング法、パイロゾル法等が使用することができるが、フォトリソグラフィーによることが好ましい。画素電極としては透明画素電極が好ましく、透明画素電極を構成する材料としては、酸化スズ膜、ＩＴＯ膜、酸化インジウムと酸化亜鉛との複合酸化物膜等が挙げられる。
【００３５】
［画素電極形成工程］
次に、各画素領域を隔てる隔壁（バンク）１０５を感光性ポリイミド等で形成し、上記の各透明画素電極間を埋めた。これによりコントラストの向上、発光材料の混色の防止、画素と画素との間から光漏れ等を防止することができる。隔壁１０５は、上記材料にカーボンブラック等を混入してブラックレジストとしてもよい。この隔壁１０５の形成方法としては、例えばフォトリソグラフィー等が挙げられる。この後、上記基板をウエット・ドライ洗浄する。
【００３６】
［正孔注入／輸送層形成工程］
つぎに、画素電極１０２，１０３，１０４の開口部に、正孔注入／輸送層１０６を真空蒸着法により形成した。正孔注入／輸送層形成工程では、本発明の蒸着装置１を使用することにしても良い。正孔注入／輸送層１０６の材料としては、低分子有機材料を用いることができ、例えば、アリールアミン類、フタロシアニン類、ルイス酸ドープ有機層等を使用することができる。
【００３７】
［発光層形成工程］
さらに、図１の蒸着装置１を使用して真空蒸着法により、正孔注入／輸送層１０６上に、赤色発光層１０７，緑色発光層１０８，青色発光層１０９を形成した。赤色発光層１０７，緑色発光層１０８，青色発光層１０９としては、低分子有機ＥＬ材料を使用することができ、例えば、アルミ錯体，アントラセン類，希土類錯体，イリジウム錯体，各種蛍光色素等を使用することができる。発光層形成工程では、図１の蒸着装置１を使用しているので、マスク２２を透明基板１０１に十分に密着させて高精度に発光層を形成でき、また、マグネット１８を引き離す場合にも透明基板１０１を損傷させることなく、そのハンドリングを容易に行うことができる。
【００３８】
［陰極形成工程］
最後に、陰極（対向電極）１１０を形成した。陰極１１０としては、金属薄膜電極が好ましく、陰極を構成する金属としては、例えば、Ｍｇ，Ａｇ，Ａｌ，Ｌｉ等が挙げられる。このような陰極１１０は、蒸着法およびスパッタ法等により形成することができる。さらに、陰極１１０の上に保護膜を形成してもよい。
【００３９】
（電子機器への適用例）
つぎに、本発明に係る有機ＥＬ装置を適用可能な電子機器の具体例について図６を参照して説明する。図６−１は、本発明に係る有機ＥＬ装置を可搬型のパーソナルコンピュータ（いわゆるノート型パソコン）２００の表示部に適用した例を示す斜視図である。同図に示すように、パーソナルコンピュータ２００は、キーボード２０１を備えた本体部２０２と、本発明に係る有機ＥＬ装置を適用した表示部２０３とを備えている。図６−２は、本発明に係る有機ＥＬ装置を携帯電話機３００の表示部に適用した例を示す斜視図である。同図に示すように、携帯電話機３００は、複数の操作ボタン３０１のほか、受話口３０２、送話口３０３とともに、本発明に係る有機ＥＬ装置を適用した表示部３０４を備えている。
【００４０】
本発明に係る有機ＥＬ装置は、上述した携帯電話機やノートパソコン以外にも、ＰＤＡ（Personal Digital Assistants）と呼ばれる携帯型情報機器、パーソナルコンピュータ、ワークステーション、デジタルスチルカメラ、車載用モニタ、デジタルビデオカメラ、テレビ、ビューファインダ型、モニタ直視型のビデオテープレコーダ、カーナビゲーション装置、ページャ、電子手帳、電卓、ワードプロセッサ、テレビ電話機、およびＰＯＳ端末機などの電子機器に広く適用することができる。
【産業上の利用可能性】
【００４１】
本発明の蒸着装置は、各種の真空蒸着装置（抵抗加熱型真空蒸着装置、電子衝撃型進級蒸着装置、高周波誘導加熱型真空蒸着装置）等に広く利用可能である。また、本発明の有機ＥＬ装置は、有機ＥＬ表示装置、エレクトロミック調光ガラス、電子ペーパー、照明装置、およびプリンタヘッド等に広く利用可能である。また、本発明に係る電子機器は、携帯電話機、ＰＤＡ（Personal Digital Assistants）と呼ばれる携帯型情報機器、携帯型パーソナルコンピュータ、パーソナルコンピュータ、ワークステーション、デジタルスチルカメラ、車載用モニタ、デジタルビデオカメラ、液晶テレビ、ビューファインダ型、モニタ直視型のビデオテープレコーダ、カーナビゲーション装置、ページャ、電子手帳、電卓、ワードプロセッサ、テレビ電話機、およびＰＯＳ端末機などの電子機器に広く利用することができる。
【図面の簡単な説明】
【００４２】
【図１】本発明の実施例１に係る蒸着装置の概略構成を示す模式的な断面図。
【図２】基板とマスクの吸着状態を示す図。
【図３】基板とマスクの吸着状態を解除する場合に作用する力を説明するための模式図。
【図４】実施例２に係る蒸着装置の補強板の構成を示す平面図。
【図５】本発明の実施例に係る有機ＥＬ装置の製造方法を説明するための工程図。
【図６−１】実施例に係る有機ＥＬ装置を備えたパソコンの斜視図。
【図６−２】実施例に係る有機ＥＬ装置を備えた携帯電話機の斜視図。
【図７】特許文献１の蒸着装置の構成を示す図。
【符号の説明】
【００４３】
１  蒸着装置、１１  真空チャンバー、１２  真空ポンプ、１３  排気口、１４  膜材料、１４ａ  蒸発分子、１５  加熱部（蒸着源）、１６  電源、１６ａ  電源ライン、１７  マグネット昇降機構、１８  マグネット、１９  補強板、２０  基板保持部、２１  基板、２２  マスク、２３  マスク保持部、１０１  透明基板、１０２，１０３，１０４  画素電極、１０５  隔壁、１０６  正孔注入／輸送層、１０７  赤色発光層、１０８  緑色発光層、１０９  青色発光層、１１０  陰極、２００  コンピュータ、２０１  キーボード、２０２  本体部、２０３  表示部、３００  携帯電話機、３０１  操作ボタン、３０２  受話口、３０３  送話口
【図１】
2005187874.tif 000003
【図２】
2005187874.tif 000004
【図３】
2005187874.tif 000005
【図４】
2005187874.tif 000006
【図５】
2005187874.tif 000007
【図６−１】
2005187874.tif 000008
【図６−２】
2005187874.tif 000009
【図７】
2005187874.tif 000010